(57)【要約】      （修正有）【課題】オフィス、家庭において衛生的に使用できるクリアファイルを提供する。【解決手段】クリアファイル１０にあっては、ＵＶオフセット印刷により、クリアファイル１０を構成するシート地１１の両面には抗菌剤が添加されたインキ１２が塗布され、シート地１１に抗菌層１３、１３が形成されていることから、同一のクリアファイル１０を多数の人間が繰り返し使用したとしても雑菌の繁殖を有効に防止することができる。【選択図】図２
0003187694.tif 000002
【実用新案登録請求の範囲】
【請求項１】
シート地に抗菌剤を添加したインキが印刷塗布されたことを特徴とするクリアファイル。
【請求項２】
上記抗菌剤は、顔料を１５〜２５％、合成樹脂を２５〜３０％、乾性油を２０〜２５％、石油系溶剤を１５〜２０％、皮膜強化剤を１〜３％、裏移り防止剤を０．５〜２．５％、ドライヤー及びその他の溶剤を１〜３％含有するように組成された印刷インキ１ｋｇ中に、難溶性リン酸塩に抗菌性能を有する金属系物質の銀又は有機系物質のベンザルコニウムやセチルピリジニウムをインターカレートして形成される粉末状の抗菌剤であることを特徴とする請求項１記載のクリアファイル。
【請求項３】
上記抗菌剤は、インキ１ｋｇ中に２．５重量％添加されていることを特徴とする請求項２記載のクリアファイル。
【請求項４】
上記インキはＵＶインキであると共に、上記印刷はＵＶオフセット印刷であることを特徴とする請求項４記載のクリアファイル。
【請求項５】
上記抗菌剤を添加したインキは上記シート地の両面に塗布されていることを特徴とする請求項１記載のクリアファイル。
【考案の詳細な説明】
【技術分野】
【０００１】
本考案は、抗菌性に優れたクリアファイルに関する。
【背景技術】
【０００２】
一般に、オフィスや家庭において、いわゆるクリアファイルが広く使用されている。このようなクリアファイルは、例えば、長方形状の合成樹脂製のシートの長さ方向中間点で二つ折りにして下辺部を互いに溶着して形成されており、溶着されずに開放された二辺部側を開放して、適宜、書類を内部に挟んで収納できるように構成されている。
【０００３】
ところで、このようなクリアファイルは、例えば、オフィスにおいては、多数のクリアファイルが用意され、同一のクリアファイルが複数の人間の手で触れられ繰り返し使用されることから、基本的に衛生的ではない。
また、病院、クリニック等の衛生性が要請される環境においては、クリアファイルも衛生的に使用されることが望ましい。さらに、衛生的な使用が可能なクリアファイルは一般のオフィス、家庭等においてもニーズがある。
【０００４】
従って、衛生的に使用できるクリアファイルが要請されていたが、このような要請に応えられるクリアファイルは存在しなかった。また、従来技術としては、例えば、特許文献１が存在するが、上記要請に応えられるものではなかった。
【特許文献１】特開２０１２―１２１２３９号公報
【考案の開示】
【考案が解決しようとする課題】
【０００５】
本考案は、このような従来からの不具合を解決するためのものであり、衛生的に使用できるクリアファイルを提供することにある。
【課題を解決するための手段】
【０００６】
上記課題達成のため、請求項１記載の考案に係るクリアファイルあっては、抗菌剤を添加した印刷インキがオフセット印刷により塗布されたことを特徴とする。
【０００７】
従って、請求項１記載の考案にあっては、オフセット印刷により、クリアファイルを構成する合成樹脂製シートには抗菌剤が添加されたインキが塗布されていることから抗菌層が形成されている。
【０００８】
請求項２記載の考案に係るクリアファイルにあっては、上記抗菌剤は、顔料を１５〜２５％、合成樹脂を２５〜３０％、乾性油を２０〜２５％、石油系溶剤を１５〜２０％、皮膜強化剤を１〜３％、裏移り防止剤を０．５〜２．５％、ドライヤー及びその他の溶剤を１〜３％含有するように組成された印刷インキ１ｋｇ中に、難溶性リン酸塩に抗菌性能を有する金属系物質の銀又は有機系物質のベンザルコニウムやセチルピリジニウムをインターカレートしてなる粉末状の抗菌剤であることを特徴とする。
【０００９】
請求項３記載の考案に係るクリアファイルにあっては、上記抗菌剤は、印刷インキ１ｋｇ中に２．５重量％添加されていることを特徴とする。
【００１０】
請求項４記載の考案にあっては、上記インキはＵＶインキであると共に、上記印刷はＵＶオフセット印刷であることを特徴とする。
【００１１】
請求項５記載の考案にあっては、上記抗菌剤を添加したインキは上記シート地の両面に塗布されていることを特徴とする。
【考案の効果】
【００１２】
請求項１〜５記載の考案にあっては、オフセット印刷により、クリアファイルを構成する合成樹脂製シートの表面には抗菌剤が添加されたインキが塗布されていることから抗菌層が形成されていることから、同一のクリアファイルを多数の人間が繰り返し使用したとしても雑菌の繁殖を防止することかできるクリアファイルを提供することができる。
その結果、特に衛生的な環境が要求される、病院、クリニック等においては好適である。また、一般のオフィス、家庭においても衛生的な使用をしたい、というニーズに応えることができる。
【００１３】
請求項４記載の考案にあっては、抗菌剤を添加したインキはＵＶインキであることから、紫外線を照射することにより０．２秒で瞬時に乾燥することから印刷処理効率に優れていると共に、インキ皮膜の強度が高いことから、摩擦に強く、耐久性に優れ、非常に多くの頻度で使用されるクリアファイルには最適である。
また、上記印刷はＵＶオフセット印刷であることから、例えば、様々な色彩で様々な意匠を表現した場合には、質感がありシズル感に溢れる印刷をクリアファイルに施すことができる。
【００１４】
請求項５記載の考案にあっては、上記抗菌剤を添加したインキは上記シート地の両面に塗布されていることから、クリアファイルを構成するシート地の表面側のみならず裏面側においても抗菌処理が施されていることから、より確実な衛生性を確保することができる。
【図面の簡単な説明】
【００１５】
【図１】本考案に係るクリアファイルの一実施の形態を一般的に示す斜視図である。
【図２】図１に示すクリアファイルの断面を簡略的に示すＡ−Ａ線断面図である。
【考案を実施するための最良の形態】
【００１６】
以下、添付図面に示す実施の形態に基づき、本考案を詳細に説明する。
図１に示すように、本実施の形態に係るクリアファイル１０は、Ａ４、Ｂ５等の定型の大きさに形成され、シート地１１はポリプロピレンを素材としており、シート地１１には抗菌剤を添加したインキ１２が印刷塗布されている。
【００１７】
本実施の形態にあっては、上記インキ１２に含まれる抗菌剤は、難溶性リン酸塩に、抗菌性能を有する金属系物質又は有機系物質、例えば、ベンザルコニウム、セチルピリジウム等をインターカレート（イオン交換）した粉末状のものである。
【００１８】
組成としては、顔料を１５〜２５％、合成樹脂を２５〜３０％、乾性油を２０〜２５％、石油系溶剤を１５〜２０％、皮膜強化剤を１〜３％、裏移り防止剤を０．５〜２．５％、ドライヤー及びその他の溶剤を１〜３％であり、このような抗菌剤を印刷インキ１ｋｇ中に２．５重量％添加されている。
【００１９】
本実施の形態にあっては、上記インキ１２はＵＶインキであり、上記インキ１２によるシート地１１への印刷はＵＶオフセット印刷により行われる。
図２に示すように、本実施の形態に係るクリアファイル１０にあっては、上記インキ１２によるシート地１１への印刷により、シート地１１の表面側及び裏面側の双方には抗菌剤が添加されたインキ１２による抗菌層１３が夫々形成されている。
【００２０】
従って、本実施の形態に係るクリアファイル１０にあっては、ＵＶオフセット印刷により、クリアファイル１０を構成するシート地１１の両面には抗菌剤が添加されたインキ１２が塗布され、シート地１１に抗菌層１３、１３が形成されていることから、同一のクリアファイル１０を多数の人間が繰り返し使用したとしても雑菌の繁殖を有効に防止することかできる。その結果、特に衛生的な環境が要求される、病院、クリニック等においては好適である。また、一般のオフィス、家庭においても衛生的な使用をしたい、というニーズに応えることができる。
【００２１】
また、抗菌剤を添加したインキ１２はＵＶインキであることから、紫外線を照射することにより０．２秒で瞬時に乾燥することから印刷処理効率に優れていると共に、インキ皮膜の強度が高いことから、摩擦に強く、耐久性に優れている。
また、特に、本実施の形態にあっては、クリアファイル１０を構成するシート地１１の表面側及び裏面側の双方に抗菌層１３、１３が形成されていることから、使用者の指が触れやすいクリアファイル１０を構成するシート地１１の表面側のみならず、裏面側においても雑菌の繁殖を有効に防止することができる。
【００２２】
また、上記印刷はＵＶオフセット印刷であることから、例えば、様々な色彩で様々な意匠を表現した場合には、質感がありシズル感に溢れる印刷をクリアファイルに施すことができる。
なお、本実施の形態にあっては、オフセット印刷によりクリアファイルに抗菌剤を含むインキを印刷する場合を例に説明したが、上記実施の形態に限定されず、オフセット印刷以外の印刷方法、例えば、シルクスクリーン印刷等であっても適用することができる。
【００２３】
また、上記実施の形態にあっては、印刷インキとしてＵＶインキを使用し、ＵＶオフセット印刷により印刷する場合を例に説明したが、上記実施の形態に限定されず、通常の油性インキを使用したオフセット印刷であっても構わない。
【産業上の利用可能性】
【００２４】
本考案は、広く、シート地に抗菌剤を添加したインキが塗布されたクリアファイルに適用されることから、産業の利用可能性を有している。
【符号の説明】
【００２５】
１０  クリアファイル
１１  シート地
１２  インキ
１３  抗菌層
【図１】
0003187694.tif 000003
【図２】
0003187694.tif 000004
【手続補正書】
【提出日】平成25年10月4日(2013.10.4)
【手続補正１】
【補正対象書類名】実用新案登録請求の範囲
【補正対象項目名】請求項４
【補正方法】変更
【補正の内容】
【請求項４】
上記インキはＵＶインキであると共に、上記印刷はＵＶオフセット印刷であることを特徴とする請求項１記載のクリアファイル。